(57)【特許請求の範囲】
【請求項１】
音波導入孔を備えるユニットケースと、
前記ユニットケースに収納され、前記音波導入孔からの音波により振動する振動板と、
前記音波導入孔と前記振動板との間に配置された音響抵抗体と、
を有してなり、
前記音響抵抗体は、
互いに圧接された開口を有する金属製で板状の２つの弾性部材、
を備え、
前記２つの弾性部材の少なくともいずれか一方は、前記圧接前には凸状に湾曲していて、
前記凸状に湾曲する一方の弾性部材の凸側面は、他方の弾性部材との圧接面である、
ことを特徴とするコンデンサマイクロホンユニット。
【請求項２】
前記振動板は、電気音響変換器を構成し、
前記音響抵抗体は、前記ユニットケースと前記電気音響変換器との間に挟持される、
請求項１記載のコンデンサマイクロホンユニット。
【請求項３】
前記電気音響変換器は、前記振動板を張設する振動板保持体を備え、
前記２つの弾性部材は、前記振動板保持体から前記ユニットケース側に押圧されて圧接する、
請求項２記載のコンデンサマイクロホンユニット。
【請求項４】
前記ユニットケースは、有底筒状で、
前記音波導入孔は、前記ユニットケースの底面に配置され、
前記２つの弾性部材は、前記底面に設けられたフランジ部から前記振動板側に押圧されて圧接する、
請求項１記載のコンデンサマイクロホンユニット。
【請求項５】
前記圧接前に凸状に湾曲しているのは、前記一方の弾性部材の平面視中央部分である、
請求項１記載のコンデンサマイクロホンユニット。
【請求項６】
前記２つの弾性部材は、それぞれ前記圧接前に凸状に湾曲しており、
前記２つの弾性部材それぞれの凸側面同士が圧接する、
請求項１記載のコンデンサマイクロホンユニット。
【請求項７】
前記２つの弾性部材は、ニッケル製である、
請求項１記載のコンデンサマイクロホンユニット。
【請求項８】
コンデンサマイクロホンユニット、
を有してなり、
前記コンデンサマイクロホンユニットは、請求項１乃至７のいずれかに記載のコンデンサマイクロホンユニットである、
ことを特徴とするコンデンサマイクロホン。
【請求項９】
音波導入孔を備えるユニットケースと、
前記ユニットケースに収納され、前記音波導入孔からの音波により振動する振動板と、
前記音波導入孔と前記振動板との間に配置された音響抵抗体と、
を有してなるコンデンサマイクロホンユニットの製造方法であって、
前記音響抵抗体は、互いに圧接された開口を有する金属製で板状の２つの弾性部材を備え、
前記２つの弾性部材の少なくともいずれか一方は、前記圧接前には凸状に湾曲していて、
前記２つの弾性部材を前記ユニットケースに収納する工程と、
前記振動板を前記ユニットケースに収納しながら前記２つの弾性部材を圧接させる工程と、
を有してなる、
ことを特徴とするコンデンサマイクロホンユニットの製造方法。
【請求項１０】
前記２つの弾性部材を前記ユニットケースに収納する工程は、前記振動板を前記ユニットケースに収納しながら前記２つの弾性部材を圧接させる工程と同時に実行される、
請求項９記載のコンデンサマイクロホンユニットの製造方法。
【請求項１１】
前記振動板は、電気音響変換器を構成し、
前記電気音響変換器は、前記振動板を張設する振動板保持体を備え、
前記２つの弾性部材は、前記振動板保持体から前記ユニットケース側に押圧されて前記ユニットケースと前記電気音響変換器との間に挟持されて圧接する、
請求項９または１０記載のコンデンサマイクロホンユニットの製造方法。
【発明の詳細な説明】
【技術分野】
【０００１】
本発明は、コンデンサマイクロホンユニットとコンデンサマイクロホン並びにコンデンサマイクロホンユニットの製造方法に関する。
【背景技術】
【０００２】
無指向性のコンデンサマイクロホンの制御の方式は、弾性制御である。そのため、無指向性のコンデンサマイクロホンの機械振動系の共振周波数は、収音帯域の上限付近の高い周波数に設計される。その結果、無指向性のコンデンサマイクロホンの共振周波数以下の周波数帯域の周波数応答は、平坦となる。
【０００３】
コンデンサマイクロホンの共振周波数が可聴帯域外に設定されると、収音帯域全体の周波数応答は平坦になるが、コンデンサマイクロホンの感度は低下する。一方、コンデンサマイクロホンの共振周波数が収音帯域の中央付近に設定されると、コンデンサマイクロホンの感度は高まるが、共振周波数以上の周波数帯域では−１２ｄＢ／Ｏｃｔの傾斜で周波数応答が低下する。そのため、収音帯域の上限付近（約１０ｋＨｚ）に共振周波数が設定されて共振鋭度が調整されることで、コンデンサマイクロホンの収音帯域の周波数応答は平坦にされている。
【０００４】
図５は、従来の無指向性のコンデンサマイクロホンユニットの側面視断面図である。
コンデンサマイクロホンユニット（以下「ユニット」という）２ａは、ユニットケース２ｃと電気音響変換器２０とを有してなる。電気音響変換器２０は、音源からの音波を電気信号に変換して出力する。電気音響変換器２０は、ユニットケース２ｃに収納される。ユニット２ａは、回路ケース（不図示）に取り付けられる。
【０００５】
ユニットケース２ｃは、金属製である。ユニットケース２ｃは、有底円筒状である。ユニットケース２ｃの底面は、ユニットケース２ｃの前方（収音時に音源側に向けられるマイクロホンの方向。以下、同じ。）側に位置する。ユニットケース２ｃは、音波導入孔２ｈと開口端２ｅとフランジ部２ｆと雌ねじ部２ｓと、を備える。音波導入孔２ｈは、音源からの音波をユニットケース２ｃ内に導入する。音波導入孔２ｈは、ユニットケース２ｃの底面に配置される。開口端２ｅは、ユニットケース２ｃの後方端である。フランジ部２ｆは、音波導入孔２ｈが配置されたユニットケース２ｃの底面により構成される。雌ねじ部２ｓは、図示しない回路ケースの雄ねじ部に対応する。雌ねじ部２ｓは、ユニットケース２ｃの内周面の後端側に配置される。
【０００６】
電気音響変換器２０は、振動板保持体（ダイヤフラムリング）２１と、振動板２２と、スペーサ２３と、固定極２４と、絶縁体２５と、支持体２６と、絶縁座２７と、電極引出端子２８と、コンタクトピン２９と、を有してなる。
【０００７】
振動板保持体２１は、振動板２２を保持する。振動板保持体２１は、リング状である。振動板保持体２１は、中央に孔を備える。振動板２２は、円板状である。振動板２２は、片面に金属（好ましくは金）蒸着膜を有する。振動板２２は、合成樹脂の薄膜である。振動板２２は、所定の張力が付与された状態で振動板保持体２１に保持される。スペーサ２３は、合成樹脂などを素材とする。スペーサ２３は、薄いリング状である。固定極２４は、金属製である。固定極２４は、円板状である。固定極２４の少なくとも一面側、例えば、振動板２２との対向面側にはエレクトレット板が貼り付けられる。固定極２４とエレクトレット板とは、エレクトレットボードを構成する。振動板２２は、スペーサ２３を介して固定極２４に対向して配置される。振動板２２と固定極２４との間には、スペーサ２３の厚さに相当する幅の空気層（隙間）が形成される。振動板２２と固定極２４とは、コンデンサを構成する。このコンデンサの静電容量は、音波導入孔２ｈを通過する音源からの音波により振動板２２が振動することで変化する。
【０００８】
絶縁体２５は、固定極２４をユニットケース２ｃと振動板２２とに対して電気的に絶縁した状態で支持する。絶縁体２５は、複数の連通孔を備える。連通孔の貫通方向は、絶縁体２５の厚さ方向（図５の紙面左右方向）である。
【０００９】
支持体２６は、絶縁体２５の後面に気密状態で取り付けられる。固定極２４と絶縁体２５との間、および、絶縁体２５と支持体２６との間には、絶縁体２５の連通孔を介して空気室が形成される。
【００１０】
絶縁座２７は、支持体２６の後方に配置される。絶縁座２７は、連結孔を備える。連結孔の貫通方向は、絶縁座２７の厚さ方向（図５の紙面左右方向）である。
【００１１】
電極引出端子２８は、固定極２４からの信号を取り出す。電極引出端子２８は、絶縁体２５の中央部に取り付けられる。電極引出端子２８の後端部は、絶縁座２７の連結孔の前半部に挿通される。コンタクトピン２９は、導電性のスポンジなどの弾性材（不図示）を介して電極引出端子２８と電気的に接続する。コンタクトピン２９は、絶縁座２７の連結孔の後半部に挿入される。
【００１２】
電気音響変換器２０は、雌ねじ部２ｓに嵌め込まれるロックリング２０ｒにより、ユニットケース２ｃ内に固定される。
【００１３】
回路ケースには、例えば、電界効果トランジスタ（Field Effect Transistor：ＦＥＴ）や、回路が組み込まれる。ＦＥＴは、電気音響変換器２０のインピーダンス変換器を構成する。回路は、例えば、振動板２２と固定極２４との間で生じる静電容量の変化を電気信号に変換して出力する回路である。
【００１４】
図６は、従来の無指向性のコンデンサマイクロホンの機械等価回路である。
図中、ｐは音源からの音波の音圧、ｍ０は振動板２２の質量、ｓ０は振動板２２のスチフネス、ｒ０は振動板２２と固定極２４との間の空気層による振動板２２の制動抵抗、ｒｆは振動板２２の前方（リング状の振動板保持体２１の孔の対向する２つの開口端のうち振動板２２が保持された後側の開口端に対向する前側の開口端）の音響抵抗、ｓｆは振動板２２の前方の空気室（リング状の振動板保持体２１の孔の内部空間）のスチフネス、ｓ１は振動板２２の後方の空気室のスチフネスである。
【００１５】
振動板２２の制動抵抗ｒ０は、共振鋭度をある程度は低下させる。ただし、形状効果により、共振周波数以上の周波数帯域の周波数応答が上昇する。そのため、振動板２２の前方に音響抵抗材を付加することで周波数応答の調整が必要となる。これまでにも、振動板の前方の音響抵抗材の音響抵抗を可変とすることで、周波数応答を調整することが提案されている（例えば、「特許文献１」参照）。
【先行技術文献】
【特許文献】
【００１６】
【特許文献１】特開２０００−５０３８６号公報
【発明の概要】
【発明が解決しようとする課題】
【００１７】
しかし、振動板２２の前方に振動板２２の振動部分と同程度の面積がある音響抵抗材を付加すると、周波数応答は、音響抵抗材の振動による内部損失の影響を受ける。
【００１８】
図７は、振動板の前方に音響抵抗材が付加されていないコンデンサマイクロホンの周波数応答を示すグラフである。
同図は、共振周波数以上の周波数帯域の周波数応答が上昇していることを示す。
【００１９】
図８は、振動板の前方に不織布からなる音響抵抗材が付加されたコンデンサマイクロホンの周波数応答を示すグラフである。
同図は、音響抵抗材の振動により２〜３ｋＨｚ付近の周波数応答が上昇し、素材の内部損失により１５ｋＨｚ付近の周波数応答が低下していることを示す。
【００２０】
本発明は、以上のような従来技術の問題点を解消するためになされたもので、高い周波数帯域での周波数応答を平坦にすることができるコンデンサマイクロホンユニットを提供することを目的とする。
【課題を解決するための手段】
【００２１】
本発明は、音波導入孔を備えるユニットケースと、ユニットケースに収納され、音波導入孔からの音波により振動する振動板と、音波導入孔と振動板との間に配置された音響抵抗体と、を有してなり、音響抵抗体は、互いに圧接された２つの弾性部材を備え、２つの弾性部材の少なくともいずれか一方は、圧接前には凸状に湾曲していて、凸状に湾曲する一方の弾性部材の凸側面は、他方の弾性部材との圧接面である、ことを特徴とする。
【発明の効果】
【００２２】
本発明によれば、高い周波数帯域での周波数応答を平坦にすることができる。
【図面の簡単な説明】
【００２３】
【図１】本発明にかかるコンデンサマイクロホンユニットの側面視断面図である。
【図２】図１のコンデンサマイクロホンユニットの側面視分解断面図である。
【図３】本発明にかかるコンデンサマイクロホンの側面視断面図である。
【図４】図３のコンデンサマイクロホンの周波数応答を示すグラフである。
【図５】従来のコンデンサマイクロホンユニットの側面視断面図である。
【図６】従来のコンデンサマイクロホンの機械等価回路である。
【図７】従来のコンデンサマイクロホンの周波数応答を示すグラフである。
【図８】従来の別のコンデンサマイクロホンの周波数応答を示すグラフである。
【発明を実施するための形態】
【００２４】
以下、図面を参照しながら、本発明にかかるコンデンサマイクロホンユニットとコンデンサマイクロホン並びにコンデンサマイクロホンユニットの製造方法の実施の形態について説明する。
【００２５】
●コンデンサマイクロホンユニット
図１は、本発明にかかるコンデンサマイクロホンユニット（以下、「ユニット」という。）の実施の形態を示す側面視断面図である。
図２は、ユニットの側面視分解断面図である。
【００２６】
ユニット２は、ユニットケース２ｃと、電気音響変換器２０と、音響抵抗体５０と、を有してなる。電気音響変換器２０は、音源からの音波を電気信号に変換して出力する。電気音響変換器２０は、ユニットケース２ｃに収納される。音響抵抗体５０の作用は、後述する。
【００２７】
ユニット２は、図５に示した従来のユニット２ａに音響抵抗体５０が付加されている点で、ユニット２ａと相違する。
【００２８】
ユニットケース２ｃは、金属製である。ユニットケース２ｃは、有底円筒状である。ユニットケース２ｃの底面は、ユニットケース２ｃの前方（収音時に音源側に向けられるマイクロホンの方向。以下、同じ。）側に位置する。ユニットケース２ｃは、音波導入孔２ｈと、開口端２ｅと、フランジ部２ｆと、雌ねじ部２ｓと、を備える。音波導入孔２ｈは、音源からの音波をユニットケース２ｃ内に導入する。音波導入孔２ｈは、ユニットケース２ｃの底面に配置される。開口端２ｅは、ユニットケース２ｃの後方端である。フランジ部２ｆは、音波導入孔２ｈが配置されたユニットケース２ｃの底面により構成される。雌ねじ部２ｓは、ユニットケース２ｃの内周面の後端側に配置される。
【００２９】
電気音響変換器２０は、振動板保持体（ダイヤフラムリング）２１と、振動板２２と、スペーサ２３と、固定極２４と、絶縁体２５と、支持体２６と、絶縁座２７と、電極引出端子２８と、コンタクトピン２９と、を有してなる。
【００３０】
振動板保持体２１は、振動板２２を保持する。振動板保持体２１は、リング状である。
【００３１】
振動板２２は、円板状である。振動板２２は、片面に金属（好ましくは金）蒸着膜を有する。振動板２２は、合成樹脂の薄膜である。振動板２２は、振動板保持体２１に所定の張力が付与された状態で保持（張設）される。
【００３２】
スペーサ２３は、合成樹脂などを素材とする。スペーサ２３は、薄いリング状である。
【００３３】
固定極２４は、金属製である。固定極２４は、円板状である。固定極２４の少なくとも一面側、例えば、振動板２２との対向面側にはエレクトレット板が貼り付けられる。固定極２４とエレクトレット板とは、エレクトレットボードを構成する。
【００３４】
振動板２２は、スペーサ２３を介して固定極２４に対向して配置される。振動板２２と固定極２４との間には、スペーサ２３の厚さに相当する幅の空気層（隙間）が形成される。振動板２２と固定極２４とは、コンデンサを構成する。このコンデンサの静電容量は、音波導入孔２ｈを通過する音源からの音波により振動板２２が振動することで変化する。
【００３５】
絶縁体２５は、固定極２４をユニットケース２ｃと振動板２２とに対して電気的に絶縁した状態で支持する。絶縁体２５は、複数の連通孔を備える。連通孔の貫通方向は、絶縁体２５の厚さ方向（図１の紙面左右方向）である。
【００３６】
支持体２６は、絶縁体２５の後面に気密状態で取り付けられる。固定極２４と絶縁体２５との間、および、絶縁体２５と支持体２６との間には、絶縁体２５の連通孔を介して空気室が形成される。
【００３７】
絶縁座２７は、支持体２６の後方に配置される。絶縁座２７は、連結孔を備える。連結孔の貫通方向は、絶縁座２７の厚さ方向（図１の紙面左右方向）である。
【００３８】
電極引出端子２８は、固定極２４からの信号を取り出す。電極引出端子２８は、絶縁体２５の中央に取り付けられる。電極引出端子２８の後端部は、絶縁座２７の連結孔の前半部に挿通される。コンタクトピン２９は、導電性のスポンジなどの弾性材（不図示）を介して電極引出端子２８と電気的に接続する。コンタクトピン２９は、絶縁座２７の連結孔の後半部に挿通される。
【００３９】
電気音響変換器２０は、雌ねじ部２ｓに嵌め込まれるロックリング２０ｒにより、ユニットケース２ｃ内に固定される。
【００４０】
音響抵抗体５０は、円板状である。音響抵抗体５０は、弾性部材５１，５２を備える。弾性部材５１，５２は、板材である。弾性部材５１，５２は、円板状である。弾性部材５１，５２は、例えば、電気鋳造により作製される。弾性部材５１，５２は、例えば、ニッケル製である。弾性部材５１，５２は、複数の開口を備える。開口の貫通方向は、弾性部材５１，５２の厚さ方向（図２の紙面左右方向）である。弾性部材５１，５２は、互いに圧接される。
【００４１】
弾性部材５１，５２のそれぞれは、圧接前には平面視中央部分（図２の紙面上下方向の中央部分）が凸状に湾曲している。つまり、弾性部材５１は、後方（図２の紙面右方向）側に湾曲している。弾性部材５２は、前方（図２の紙面左方向）側に湾曲している。
【００４２】
弾性部材５１，５２のそれぞれにおいて、凸状に湾曲する凸側面が他方の弾性部材との圧接面である。つまり、弾性部材５１の凸側面（図２の右側の面）は、弾性部材５２との圧接面である。弾性部材５２の凸側面（図２の左側の面）は、弾性部材５１との圧接面である。弾性部材５１，５２は、それぞれの圧接面である凸側面同士が圧接されて、円板状の音響抵抗体５０を構成する。
【００４３】
なお、音響抵抗体５０を構成する２つの弾性部材のうち、少なくとも一方の弾性部材が圧接前に凸状に湾曲していればよい。この場合、他方の弾性部材は湾曲していない平板状である。湾曲している弾性部材の凸側面は、他方の弾性部材との圧接面である。
【００４４】
●コンデンサマイクロホンユニットの製造方法
次に、ユニット２の製造方法について説明する。
【００４５】
先ず、弾性部材５１，５２がユニットケース２ｃに収納される。このとき、弾性部材５１，５２は、それぞれの凸側面が対向するように配置される。ユニットケース２ｃに収納された弾性部材５１，５２のうち、弾性部材５１はフランジ部２ｆに当接する。その結果、弾性部材５１はユニットケース２ｃ内に位置決めされる。
【００４６】
次いで、振動板２２を備える電気音響変換器２０がユニットケース２ｃに収納される。このとき、電気音響変換器２０が弾性部材５１，５２を圧接する。すなわち、ユニットケース２ｃに収納される電気音響変換器２０の振動板保持体２１が、弾性部材５２をユニットケース２ｃのフランジ部２ｆ側に押圧する。その結果、弾性部材５１は、弾性部材５２からフランジ部２ｆ側に押圧される。ユニットケース２ｃに収納された電気音響変換器２０は、ロックリング２０ｒによりユニットケース２ｃ内に固定される。
【００４７】
電気音響変換器２０がユニットケース２ｃ内に収納されたとき、弾性部材５１，５２は、振動板保持体２１からフランジ部２ｆ側に押圧されると同時に、フランジ部２ｆから振動板保持体２１（振動板２２）側に押圧される。つまり、弾性部材５１，５２は、互いに押し付けあうように内部応力が加わった状態で、ユニットケース２ｃと電気音響変換器２０との間に挟持される。弾性部材５１，５２は、ユニットケース２ｃ内に保持される。
【００４８】
●コンデンサマイクロホン
次に、本発明にかかるコンデンサマイクロホン（以下、「マイクロホン」という。）について説明する。
【００４９】
図３は、マイクロホンの実施の形態を示す側面視断面図である。
マイクロホン１は、先に説明したユニット２と、回路ケース３ｃと、コネクタ支持体３１と、ホルダ３２と、コンタクトプローブ３３と、基板固定部３４と、音声信号出力回路基板３５と、出力トランス３６と、連結部材３７と、コネクタケース４０と、出力コネクタと、を有してなる。
【００５０】
回路ケース３ｃは、金属製である。回路ケース３ｃは、円筒状である。回路ケース３ｃは、雌ねじ部３ｓを備える。雌ねじ部３ｓは、回路ケース３ｃの前端側の内周面に配置される。
【００５１】
回路ケース３ｃには、コネクタ支持体３１と、ホルダ３２と、コンタクトプローブ３３と、基板固定部３４と、音声信号出力回路基板３５と、出力トランス３６と、コネクタケース４０と、が収納される。
【００５２】
コネクタ支持体３１は、絶縁材料製である。コネクタ支持体３１は、ホルダ３２に保持される。コネクタ支持体３１は、ホルダ３２を介して回路ケース３ｃ内の前端に取り付けられている。コネクタ支持体３１は、孔を備える。孔の貫通方向は、コネクタ支持体３１の厚さ方向（図３の紙面左右方向）である。コンタクトプローブ３３は、ユニット２のコンタクトピン２９に電気的に接続される。コンタクトプローブ３３は、コネクタ支持体３１の孔に挿通される。
【００５３】
基板固定部３４は、音声信号出力回路基板３５を保持する。基板固定部３４は、ホルダ３２と一体に設けられる。音声信号出力回路基板３５は、略矩形の板状である。音声信号出力回路基板３５は、基板固定部３４に保持される。音声信号出力回路基板３５は、基板固定部３４を介して回路ケース３ｃ内に固定される。音声信号出力回路基板３５には、例えば、電界効果トランジスタ（Field Effect Transistor：ＦＥＴ）や、回路が組み込まれる。ＦＥＴは、電気音響変換器２０のインピーダンス変換器を構成する。回路は、例えば、振動板２２と固定極２４との間で生じる静電容量の変化を電気信号に変換して出力する回路である。ＦＥＴのゲートは、電極引出端子２８とコンタクトピン２９とコンタクトプローブ３３とを介して固定極２４に電気的に接続される。
【００５４】
出力トランス３６は、センタータップ付きの２次コイルを有する。出力トランス３６は、音声信号出力回路基板３５からの信号のホット側とコールド側の出力インピーダンスを同一にする。
【００５５】
連結部材３７は、ユニットケース２ｃと回路ケース３ｃとを連結する。連結部材３７は、円筒状である。連結部材３７は、雄ねじ部３７ｓを備える。雄ねじ部３７ｓは、連結部材３７の外周面に配置される。
【００５６】
ユニットケース２ｃは、連結部材３７を介して回路ケース３ｃに取り付けられる。連結部材３７の雄ねじ部３７ｓは、ユニットケース２ｃの雌ねじ部２ｓと回路ケース３ｃの雌ねじ部３ｓと、に嵌め込まれる。ユニットケース２ｃには、前述のとおり、電気音響変換器２０と音響抵抗体５０とが収納される。
【００５７】
コネクタケース４０は、黄銅合金などの金属製である。コネクタケース４０は、円筒状である。出力コネクタは、コネクタケース４０に収納される。出力コネクタは、例えば、ＪＥＩＴＡ  ＲＣ−５２３６「音響機器用ラッチロック式丸型コネクタ」に規定される接地用の１番ピン（不図示）と、信号のホット側の２番ピン４２とコールド側の３番ピン４３と、を備える。１番ピンは、接地としてのコネクタケース４０に電気的に接続される。出力コネクタは、コネクタベース４１を備える。コネクタベース４１は、ポリブタジエンテレフタレート樹脂などの絶縁材からなる。コネクタベース４１は、円板状である。１番ピンと２番ピン４２と３番ピン４３とは、コネクタベース４１に圧入される。１番ピンと２番ピン４２と３番ピン４３とは、コネクタベース４１を貫通する。出力コネクタは、コネクタケース４０を介して回路ケース３ｃ内の後端側に装着される。コネクタケース４０は、出力コネクタのシールドケースとしても作用する。
【００５８】
電気音響変換器２０は、音波導入孔２ｈからユニットケース２ｃ内に入る音源からの音波により振動板２２が振動することにより電気信号を出力する。マイクロホン１は、電気音響変換器２０からの電気信号を、音声信号出力回路基板３５と出力トランス３６とコネクタケース４０内の出力コネクタとを介して外部装置に出力する。
【００５９】
音波導入孔２ｈと振動板２２との間に配置された音響抵抗体５０は、ユニットケース２ｃと電気音響変換器２０とにより挟持される。そのため、音響抵抗体５０は、音源からの音波を受けても振動しない。その結果、マイクロホン１の高い周波数帯域での周波数応答は、平坦となる。
【００６０】
図４は、マイクロホン１の周波数応答を示すグラフである。
同図は、図７，８に示した従来のマイクロホンの周波数応答に比べて、マイクロホン１の高い周波数帯域での周波数応答が平坦であることを示す。
【００６１】
●まとめ
以上説明した実施の形態によれば、ユニットケース２ｃと電気音響変換器２０とにより挟持された音響抵抗体５０は、音源からの音波を受けても振動しない。そのため、本実施の形態にかかるマイクロホン１は、マイクロホン１の高い周波数帯域での周波数応答を平坦にすることができる。
【符号の説明】
【００６２】
１      コンデンサマイクロホン
２      コンデンサマイクロホンユニット
２ｃ    ユニットケース
２ｅ    開口端
２ｆ    フランジ部
２ｈ    音波導入孔
２ｓ    雌ねじ部
２０    電気音響変換器
２０ｒ  ロックリング
２１    振動板保持体
２２    振動板
２３    スペーサ
２４    固定極
２５    絶縁体
２６    支持体
２７    絶縁座
２８    電極引出端子
２９    コンタクトピン
３ｃ    回路ケース
３ｓ    雌ねじ部
３１    コネクタ支持体
３２    ホルダ
３３    コンタクトプローブ
３４    基板固定部
３５    音声信号出力回路基板
３６    出力トランス
３７    連結部材
３７ｓ  雄ねじ部
４０    コネクタケース
４１    コネクタベース
４２    ホット側のピン
４３    コールド側のピン
５０    音響抵抗体
５１    弾性部材
５２    弾性部材
【図１】
0006671203.tif 000002
【図２】
0006671203.tif 000003
【図３】
0006671203.tif 000004
【図４】
0006671203.tif 000005
【図５】
0006671203.tif 000006
【図６】
0006671203.tif 000007
【図７】
0006671203.tif 000008
【図８】
0006671203.tif 000009